(57)【要約】【課題】付勢手段の弾性力に抗って連動板をロック状態からロック解除完了状態まで回動させるには大きな力が必要となったり、また、使用により受け部が変形し突起部が変形した部分に当たってしまうことがあり、さらに、油等が部品にこびりつくという現象が生じ、これらにより、滑らかに動作することが妨げられるという問題があった。【解決手段】連動板の回動中心を最適化すること、受け部の形状を力が集中しにくく、変形しても動作に影響を与えないようにすること、換気装置の排気が直接部品に吹き付けないように構成を変更すること、連動板の変形が突起部と受け部の位置関係に影響を与えにくくなるように変更を行った。【選択図】　　　　図１
2004077020.tif 000002
【特許請求の範囲】
【請求項１】
室内に向けられる室内側開口部と室外に向けられる室外側開口部とを有する枠体と、
前記枠体内部に設置されるモータと、
前記モータに連結され前記枠体内に気流を生じさせるファンと、
前記枠体に固定された軸部材に枢支され前記室外側開口部を開閉する上下方向に並ぶ３以上の蓋体と、
前記３以上の蓋体うち最も上方の第一の蓋体に設けられた軸状突起が挿入される室内外方向に長い略楕円形の孔と、最も下方の第二の蓋体に設けられた軸状突起が挿入される室内外方向に長い略楕円形の孔と、前記第一の蓋体と前記第二の蓋体との間の第三の蓋体に設けられた軸状突起が挿入される円形の孔とを有し、前記円形の孔に挿入される軸状突起を中心として回動する連動板と、
一端が前記枠体に他端が前記連動板に取付けられ、前記連動板に上方に向かう力と、前記連動板の円形の孔よりも上部を室外側に下部を室内側に回動させる向きの力とを付勢する付勢手段と、
前記連動板の前記円形の孔よりも室内側に下向きの力を与えるために設けられている連動板引下げ手段と、
前記枠体に設けられた受け部と、
前記連動板に設けられ、蓋体が室外側へ回動することにより前記連動板とともに下方向に移動することで前記受け部と当接する突起部とを備え、
前記連動板引下げ手段を引下げることにより前記連動板が前記円形の孔に挿入される軸状突起を中心として回動して前記突起部が前記受け部から離れて、前記連動板が下方向に移動して前記軸状突起に下方向へ向かう力がかかり、前記蓋体が前記軸部材を中心に回動して前記室外開口部を開放する換気装置。
【請求項２】
室内側開口部にはベルマウスが設けられ、前記ベルマウスは、受け部と突起部とを気流から遮るように配置されていることを特徴とする請求項１記載の換気装置。
【請求項３】
室内側開口部にはベルマウスが設けられ、前記ベルマウスは、付勢手段を気流から遮るように配置されていることを特徴とする請求項１又は請求項２記載の換気装置。
【請求項４】
受け部は、枠体の側壁を内側に向けて切起すことで形成され、突起部は連動板の突片を折り曲げることで形成され、当接するのは、前記受け部の切起された面と、前記突起部の折り曲げられた板の板厚方向の側面とであることを特徴とする請求項１乃至請求項３いずれか記載の換気装置。
【請求項５】
連動板は、室内側から室外側に向かって略水平に伸び、連動板引下げ手段が設けられている部分と、略鉛直方向に伸び、蓋体に設けられた軸状突起が挿入される円形の孔及び略楕円形の孔が設けられている部分とからなる略鉤型の形状であり、前記略水平の部分には付勢手段と突起部とが設けられていることを特徴とする請求項１乃至請求項４いずれか記載の換気装置。
【請求項６】
室内に向けられる室内側開口部と室外に向けられる室外側開口部とを有する枠体と、
前記枠体内部に設置されるモータと、
前記モータに連結され前記枠体内に気流を生じさせるファンと、
前記枠体に固定された軸部材に枢支され前記室外側開口部を開閉する上下方向に並ぶ複数の蓋体と、
前記複数の蓋体のうちの一つの蓋体に設けられた軸状突起が挿入される円形の孔と、他の蓋体の軸状突起が挿入される室内外方向に長い略楕円形の孔とを有し、前記円形の孔に挿入される軸状突起を中心として回動する連動板と、
一端が前記枠体に他端が前記連動板に取付けられる付勢手段と、
前記連動板の前記円形の孔よりも室内側に下向きの力を与えるために設けられている連動板引下げ手段と、
前記枠体に設けられた受け部と、
前記連動板に設けられ、蓋体が室外側へ回動することにより前記連動板とともに下方向に移動することで前記受け部と当接する突起部と、
前記室内側開口部に設けられ、前記受け部と前記突起部とを前記気流から遮るように配置されるベルマウスとを備え、
前記連動板引下げ手段を引下げることにより前記連動板が前記円形の孔に挿入される軸状突起を中心として回動して前記突起部が前記受け部から離れて、前記連動板が下方向に移動して前記軸状突起に下方向へ向かう力がかかり、前記蓋体が前記軸部材を中心に回動して前記室外開口部を開放する換気装置。
【請求項７】
室内に向けられる室内側開口部と室外に向けられる室外側開口部とを有する枠体と、
前記枠体内部に設置されるモータと、
前記モータに連結され前記枠体内に気流を生じさせるファンと、
前記枠体に固定された軸部材に枢支され前記室外側開口部を開閉する上下方向に並ぶ複数の蓋体と、
前記複数の蓋体のうちの一つの蓋体に設けられた軸状突起が挿入される円形の孔と、他の蓋体の軸状突起が挿入される室内外方向に長い略楕円形の孔とを有し、前記円形の孔に挿入される軸状突起を中心として回動する連動板と、
一端が前記枠体に他端が前記連動板に取付けられる付勢手段と、
前記連動板の前記円形の孔よりも室内側に、下向きの力を与えるために設けられている連動板引下げ手段と、
前記枠体に設けられた受け部と、
前記連動板に設けられ、蓋体が室外側へ回動することにより前記連動板とともに下方向に移動することで前記受け部と当接する突起部と、
前記室内側開口部に設けられ、前記付勢手段を前記気流から遮るように配置されるベルマウスとを備え、
前記連動板引下げ手段を引下げることにより前記連動板が前記円形の孔に挿入される軸状突起を中心として回動して前記突起部が前記受け部から離れて、前記連動板が下方向に移動して前記軸状突起に下方向へ向かう力がかかり、前記蓋体が前記軸部材を中心に回動して前記室外開口部を開放する換気装置。
【請求項８】
受け部は、枠体の側壁を内側に向けて切起すことで形成され、突起部は連動板の突片を折り曲げることで形成され、当接するのは、前記受け部の切起された面と、前記突起部の折り曲げられた板の板厚方向の側面とであることを特徴とする請求項６又は請求項７記載の換気装置。
【請求項９】
連動板は、室内側から室外側に向かって略水平に伸び、連動板引下げ手段が設けられている部分と、略鉛直方向に伸び、蓋体に設けられた軸状突起が挿入される円形の孔及び略楕円形の孔が設けられている部分とからなる略鉤型の形状であり、前記略水平の部分には付勢手段と突起部とが設けられていることを特徴とする請求６乃至請求項８いずれか記載の換気装置。
【請求項１０】
室内に向けられる室内側開口部と室外に向けられる室外側開口部とを有する枠体と、
前記枠体内部に設置されるモータと、
前記モータに連結され前記枠体内に気流を生じさせるファンと、
前記枠体に固定された軸部材に枢支され前記室外側開口部を開閉する上下方向に並ぶ複数の蓋体と、
前記複数の蓋体のうちの一つの蓋体に設けられた軸状突起が挿入される円形の孔と、他の蓋体の軸状突起が挿入される室内外方向に長い略楕円形の孔とを有し、前記円形の孔に挿入される軸状突起を中心として回動する連動板と、
一端が前記枠体に他端が前記連動板に取付けられる付勢手段と、
前記連動板の前記円形の孔よりも室内側に下向きの力を与えるために設けられている連動板引下げ手段と、
前記枠体の側壁を内側に向けて切起すことで形成される受け部と、
前記連動板の突片を折り曲げることで形成され、蓋体が室外側へ回動することにより前記連動板とともに下方向に移動することで前記受け部の切起された面と折り曲げられた板の板厚方向の側面とが当接する突起部とを備え、
前記連動板引下げ手段を引下げることにより前記連動板が前記円形の孔に挿入される軸状突起を中心として回動して前記突起部が前記受け部から離れて、前記連動板が下方向に移動して前記軸状突起に下方向へ向かう力がかかり、前記蓋体が前記軸部材を中心に回動して前記室外開口部を開放する換気装置。
【請求項１１】
連動板は、室内側から室外側に向かって略水平に伸び、連動板引下げ手段が設けられている部分と、略鉛直方向に伸び、蓋体に設けられた軸状突起が挿入される円形の孔及び略楕円形の孔が設けられている部分とからなる略鉤型の形状であり、前記略水平の部分には付勢手段と突起部とが設けられていることを特徴とする請求項１０記載の換気装置。
【請求項１２】
室内に向けられる室内側開口部と室外に向けられる室外側開口部とを有する枠体と、
前記枠体内部に設置されるモータと、
前記モータに連結され前記枠体内に気流を生じさせるファンと、
前記枠体に固定された軸部材に枢支され前記室外側開口部を開閉する上下方向に並ぶ複数の蓋体と、
前記複数の蓋体のうちの一つの蓋体に設けられた軸状突起が挿入される円形の孔と他の蓋体の軸状突起が挿入される室内外方向に長い略楕円形の孔とが設けられる略鉛直方向に伸びる部分と、室内側から室外側に向かって略水平に伸びる部分とからなり、前記円形の孔に挿入される軸状突起を中心として回動する連動板と、
一端が前記枠体に他端が前記連動板の前記略水平部分に取付けられる付勢手段と、
前記連動板の前記略水平部分に前記円形の孔よりも室内側に下向きの力を与えるために設けられている連動板引下げ手段と、
前記枠体に設けられた受け部と、
前記連動板の前記略水平部分に設けられ、蓋体が室外側へ回動することにより前記連動板とともに下方向に移動することで前記受け部と当接する突起部とを備え、
前記連動板引下げ手段を引下げることにより前記連動板が前記円形の孔に挿入される軸状突起を中心として回動して前記突起部が前記受け部から離れて、前記連動板が下方向に移動して前記軸状突起に下方向へ向かう力がかかり、前記蓋体が前記軸部材を中心に回動して前記室外開口部を開放する換気装置。
【発明の詳細な説明】
【０００１】
【発明の属する技術分野】
この発明は、シャッタ機構を有する換気装置に関する。
【０００２】
【従来の技術】
図１１は特許第３１０３２４８号公報に開示されるシャッタを有する換気扇のシャッタ装置の断面図である。図中、換気扇の外枠１０１の室外側開口部には、上部、中部、下部のシャッタ１０２、１０３、１０４が外枠１０１の軸１０５、１０６、１０７に対して回動可能に枢設され、外枠１０１内には、室外側開口部から室内側開口部に向けて略反Ｌ字形のリンク１０８が配置され、このリンク１０８にはシャッタ１０２、１０３、１０４が回動可能に連結されている。この構成で、シャッタ１０２、１０３、１０４とリンク１０８とは、リンク１０８側に設けられた孔１０９、１１０、１１１と、シャッタ１０２、１０３、１０４に設けられた軸１１２、１１３、１１４とが嵌合されることで連結されている。これら、孔１０９、１１０、１１１のうち最上部のシャッタ１０２に設けられた孔１０９と中央部のシャッタ１０３に設けられた孔１１０とが長孔形状で、最下部のシャッタ１０４に設けられた孔１１１は円形である。
【０００３】
また、リンク１０８の上部にはロック部１１５が設けられ、このロック部１１５に対応するようにロック部１１５の下方の外枠１０１の一部にはストッパ１１６が設けられている。さらに、一端が外枠１０１に他端がリンク１０８のロック部１１５近傍に固定され、常にリンク１０８に上方へ向かう力と室外側へと向かう力とをかけている引っ張りコイルばね１１７が設けられている。こうしたリンク１０８の室内側開口部に向けて伸びる水平部分の端部の切欠部１１８に連結するように設けられた引き紐１１９を下方に引くことで、連結板１０８を動作させるものである。
【０００４】
このような構成とすることで、シャッタにより室外側開口部を閉鎖している状態で、シャッタ１０２、１０３、１０４に対して風圧などにより室外側へ回動させようとする力がかかると、軸１０５、１０６、１０７を中心としてシャッタ１０２、１０３、１０４からリンク１０８を下げようとする方向に力がかかる。この時にロック部１１５がストッパ１１６に当接するため、シャッタ１０２、１０３、１０４が完全に開口部を開くまで回動してしまうのを防ぐことができる。
【０００５】
このシャッタ装置で引き紐１１９を下方に引いた場合の動作について詳細に説明する。図１２は、特許第３１０３２４８号公報に開示されるシャッタ開閉装置の動作の段階ごとのリンク１０８の位置を示す断面図である。
【０００６】
図１２（ａ）で、実線で表されているのが引き紐１１９を引く前の図示していないがロック状態である。この状態では前述したようにリンク１０８の上部室内側に設けられたロック部１１５が外枠１０１に設けられたストッパ１１６の上方に位置している。
【０００７】
図１２（ｂ）で、実線で表されているのがロック解除完了状態であり、点線で表されているのがシャッタ回動完了状態である。これらをもとにロック状態からシャッタ回動完了状態までの動作を説明すると、まず、図１２（ａ）のロック状態から引き紐１１９を一定距離引くことで軸１１４を中心としてリンク１０８が長孔である孔１０９、１１０と軸１１２、１１３との間の隙間分だけ室内方向に向かって回動しロック解除完了状態となる。そして、さらに引き紐１１９を一定距離引くことで、リンク１０８は室内側に移動しつつ下方に移動する。これにより、図示しないシャッタ１０２、１０３、１０４は、図示しない軸１０５、１０６、１０７を中心として回動し、開口部を開放するように動作する。
【０００８】
ところで、特許第３１０３２４８号公報に開示されるシャッタ開閉装置は、ロック部とストッパの関係を改良する目的でなされたものであるので、この改良点について具体的に説明する。なお、当該公報の従来の技術において開示されるシャッタ装置の構成は、実公昭６１−３９２３４号公報に開示されるシャッタ装置とほぼ同じ構造である。
【０００９】
図１３は、特許第３１０３２４８号公報の従来の技術に開示されるシャッタ装置のロック部とストッパについての拡大断面図である。この図において、ロック部１１５はロック状態からロック解除完了状態へ移行する段階では矢印Ｄに示すようにストッパ１１６から離れるように動く。次にロック解除完了状態からシャッタ回動完了状態へ移行する段階では矢印Ｅに示すように最初ストッパ１１６に近づくように動く。そのため、使用によりストッパ１１６が変形した場合に、ロック解除完了状態からシャッタ回動完了状態に移行する途中でロック部１１５とストッパ１１６とが当接しシャッタが完全に開かなくなったりする。このような問題を解決することを目的とする特許第３１０３２４８号公報に開示されるシャッタ開閉装置のロック部とストッパの拡大断面図を図１４に示し詳述する。この図において、ロック部１１５はロック状態からロック解除完了状態へ移行する段階ではＫ点からＬ点までの矢印Ｍに示すようにストッパ１１６から離れるように動く。次にロック解除完了状態からシャッタ回動完了状態へ移行する段階ではＬ点からＮ点までの矢印Ｐに示すようにストッパ１１６からさらに離れるように動く。そのため、使用によりストッパ１１６が変形した場合でも、ロック解除完了状態からシャッタ回動完了状態に移行する途中でロック部１１５とストッパ１１６とが当接せず、シャッタが開かなくなるということがない。
【００１０】
なお、図１５は特許第３１０３２４８号公報に開示されるシャッタ開閉装置のロック部とストッパの斜視図である。図中、ロック部１１５は外枠１０１の側面部に向かって突出するロック片が折曲形成されており、ストッパ１１６は外枠１０１の側面部の一部が内側に向かって突出する略Ｌ字形突片状に切り起こすことで形成されている。
【００１１】
【発明が解決しようとする課題】
しかし、特許第３１０３２４８号公報に開示されるシャッタ開閉装置においては、最も下方に位置しリンク１０８の回動中心となる軸１１４と最も上方に位置しシャッタ１０２に設けられた軸１１２との隙間分だけ室内方向に向かって回動するように構成された長孔形状の孔１０９との距離が、軸１１４と引き紐１１９にかかる力が作用する切欠部１１８との距離に比べて長いため、シャッタにより開口部を閉鎖する時にロック部１１５が確実にストッパ１１６の上方に位置するようにすることを目的の一つとして設けた付勢手段の弾性力に抗ってリンク１０８をロック状態からロック解除完了状態まで回動させるには大きな力が必要となり、滑らかに動作することを妨げるという問題があった。
【００１２】
一方、当該公報の従来の技術に開示されるシャッタ装置の場合は、前述したように、使っているとストッパ部１１６が変形することがあり、この場合にロック解除完了状態からシャッタ回動完了状態まで間にロック部１１５が変形した部分に当たってしまい、滑らかに動作することを妨げるという問題があった。
【００１３】
また、使用しているとストッパ部、ロック部にファンによって吹き付けられた室内の空気に混じった油等がこびりつき、ストッパ部とロック部とをくっつける働きをして、滑らかに動作するのを妨げるという問題があった。この油等の付着は付勢手段にも生じ、付勢手段としてのばねの鋼線に油がこびりつくことで、滑らかに動作することを妨げるという問題があった。
【００１４】
本願発明はこのような問題を解決するめになされたものであり、滑らかに動作するシャッタ機構を有する換気装置を提供することを目的とする。
【００１５】
【課題を解決するための手段】
【００１６】
室内に向けられる室内側開口部と室外に向けられる室外側開口部とを有する枠体と、
枠体内部に設置されるモータと、
モータに連結され枠体内に気流を生じさせるファンと、
枠体に固定された軸部材に枢支され室外側開口部を開閉する上下方向に並ぶ３以上の蓋体と、
３以上の蓋体うち最も上方の第一の蓋体に設けられた軸状突起が挿入される室内外方向に長い略楕円形の孔と、最も下方の第二の蓋体に設けられた軸状突起が挿入される室内外方向に長い略楕円形の孔と、第一の蓋体と第二の蓋体との間の第三の蓋体に設けられた軸状突起が挿入される円形の孔とを有し、円形の孔に挿入される軸状突起を中心として回動する連動板と、
一端が枠体に他端が連動板に取付けられ、連動板に上方に向かう力と、連動板の円形の孔よりも上部を室外側に下部を室内側に回動させる向きの力とを付勢する付勢手段と、
連動板の円形の孔よりも室内側に下向きの力を与えるために設けられている連動板引下げ手段と、
枠体に設けられた受け部と、
連動板に設けられ、蓋体が室外側へ回動することにより連動板とともに下方向に移動することで受け部と当接する突起部とを備え、
連動板引下げ手段を引下げることにより連動板が円形の孔に挿入される軸状突起を中心として回動して突起部が受け部から離れて、連動板が下方向に移動して軸状突起に下方向へ向かう力がかかり、蓋体が軸部材を中心に回動して室外開口部を開放する。
【００１７】
また、室内側開口部にはベルマウスが設けられ、ベルマウスは、受け部と突起部とを気流から遮るように配置されている。
【００１８】
さらに、室内側開口部にはベルマウスが設けられ、ベルマウスは、付勢手段を気流から遮るように配置されている。
【００１９】
またさらに、受け部は、枠体の側壁を内側に向けて切起すことで形成され、突起部は連動板の突片を折り曲げることで形成され、当接するのは、受け部の切起された面と、突起部の折り曲げられた板の板厚方向の側面とである。
【００２０】
さらにまた、連動板は、室内側から室外側に向かって略水平に伸び、連動板引下げ手段が設けられている部分と、略鉛直方向に伸び、蓋体に設けられた軸状突起が挿入される円形の孔及び略楕円形の孔が設けられている部分とからなる略鉤型の形状であり、略水平の部分には付勢手段と突起部とが設けられている。
【００２１】
室内に向けられる室内側開口部と室外に向けられる室外側開口部とを有する枠体と、
枠体内部に設置されるモータと、
モータに連結され枠体内に気流を生じさせるファンと、
枠体に固定された軸部材に枢支され室外側開口部を開閉する上下方向に並ぶ複数の蓋体と、
複数の蓋体のうちの一つの蓋体に設けられた軸状突起が挿入される円形の孔と、他の蓋体の軸状突起が挿入される室内外方向に長い略楕円形の孔とを有し、円形の孔に挿入される軸状突起を中心として回動する連動板と、
一端が枠体に他端が連動板に取付けられる付勢手段と、
連動板の円形の孔よりも室内側に下向きの力を与えるために設けられている連動板引下げ手段と、
枠体に設けられた受け部と、
連動板に設けられ、蓋体が室外側へ回動することにより連動板とともに下方向に移動することで受け部と当接する突起部と、
室内側開口部に設けられ、受け部と突起部とを気流から遮るように配置されるベルマウスとを備え、
連動板引下げ手段を引下げることにより連動板が円形の孔に挿入される軸状突起を中心として回動して突起部が受け部から離れて、連動板が下方向に移動して軸状突起に下方向へ向かう力がかかり、蓋体が軸部材を中心に回動して室外開口部を開放する。
【００２２】
室内に向けられる室内側開口部と室外に向けられる室外側開口部とを有する枠体と、
枠体内部に設置されるモータと、
モータに連結され枠体内に気流を生じさせるファンと、
枠体に固定された軸部材に枢支され室外側開口部を開閉する上下方向に並ぶ複数の蓋体と、
複数の蓋体のうちの一つの蓋体に設けられた軸状突起が挿入される円形の孔と、他の蓋体の軸状突起が挿入される室内外方向に長い略楕円形の孔とを有し、円形の孔に挿入される軸状突起を中心として回動する連動板と、
一端が枠体に他端が連動板に取付けられる付勢手段と、
連動板の円形の孔よりも室内側に、下向きの力を与えるために設けられている連動板引下げ手段と、
枠体に設けられた受け部と、
連動板に設けられ、蓋体が室外側へ回動することにより連動板とともに下方向に移動することで受け部と当接する突起部と、
室内側開口部に設けられ、付勢手段を気流から遮るように配置されるベルマウスとを備え、
連動板引下げ手段を引下げることにより連動板が円形の孔に挿入される軸状突起を中心として回動して突起部が受け部から離れて、連動板が下方向に移動して軸状突起に下方向へ向かう力がかかり、蓋体が軸部材を中心に回動して室外開口部を開放する。
【００２３】
また、受け部は、枠体の側壁を内側に向けて切起すことで形成され、突起部は連動板の突片を折り曲げることで形成され、当接するのは、受け部の切起された面と、突起部の折り曲げられた板の板厚方向の側面とである。
【００２４】
さらに、連動板は、室内側から室外側に向かって略水平に伸び、連動板引下げ手段が設けられている部分と、略鉛直方向に伸び、蓋体に設けられた軸状突起が挿入される円形の孔及び略楕円形の孔が設けられている部分とからなる略鉤型の形状であり、略水平の部分には付勢手段と突起部とが設けられている。
【００２５】
室内に向けられる室内側開口部と室外に向けられる室外側開口部とを有する枠体と、
枠体内部に設置されるモータと、
モータに連結され枠体内に気流を生じさせるファンと、
枠体に固定された軸部材に枢支され室外側開口部を開閉する上下方向に並ぶ複数の蓋体と、
複数の蓋体のうちの一つの蓋体に設けられた軸状突起が挿入される円形の孔と、他の蓋体の軸状突起が挿入される室内外方向に長い略楕円形の孔とを有し、円形の孔に挿入される軸状突起を中心として回動する連動板と、
一端が枠体に他端が連動板に取付けられる付勢手段と、
連動板の円形の孔よりも室内側に下向きの力を与えるために設けられている連動板引下げ手段と、
枠体の側壁を内側に向けて切起すことで形成される受け部と、
連動板の突片を折り曲げることで形成され、蓋体が室外側へ回動することにより連動板とともに下方向に移動することで受け部の切起された面と折り曲げられた板の板厚方向の側面とが当接する突起部とを備え、
連動板引下げ手段を引下げることにより連動板が円形の孔に挿入される軸状突起を中心として回動して突起部が受け部から離れて、連動板が下方向に移動して軸状突起に下方向へ向かう力がかかり、蓋体が軸部材を中心に回動して室外開口部を開放する。
【００２６】
また、連動板は、室内側から室外側に向かって略水平に伸び、連動板引下げ手段が設けられている部分と、略鉛直方向に伸び、蓋体に設けられた軸状突起が挿入される円形の孔及び略楕円形の孔が設けられている部分とからなる略鉤型の形状であり、略水平の部分には付勢手段と突起部とが設けられている。
【００２７】
室内に向けられる室内側開口部と室外に向けられる室外側開口部とを有する枠体と、
枠体内部に設置されるモータと、
モータに連結され枠体内に気流を生じさせるファンと、
枠体に固定された軸部材に枢支され室外側開口部を開閉する上下方向に並ぶ複数の蓋体と、
複数の蓋体のうちの一つの蓋体に設けられた軸状突起が挿入される円形の孔と他の蓋体の軸状突起が挿入される室内外方向に長い略楕円形の孔とが設けられる略鉛直方向に伸びる部分と、室内側から室外側に向かって略水平に伸びる部分とからなり、円形の孔に挿入される軸状突起を中心として回動する連動板と、
一端が枠体に他端が連動板の略水平部分に取付けられる付勢手段と、
連動板の略水平部分に円形の孔よりも室内側に下向きの力を与えるために設けられている連動板引下げ手段と、
枠体に設けられた受け部と、
連動板の略水平部分に設けられ、蓋体が室外側へ回動することにより連動板とともに下方向に移動することで受け部と当接する突起部とを備え、
連動板引下げ手段を引下げることにより連動板が円形の孔に挿入される軸状突起を中心として回動して突起部が受け部から離れて、連動板が下方向に移動して軸状突起に下方向へ向かう力がかかり、蓋体が軸部材を中心に回動して室外開口部を開放する。
【００２８】
実施の形態１．
図１は、この発明の実施の形態１における換気装置の内部の斜視図である。図中、換気装置１は、薄板鋼鈑によって構成され内部が通風路の働きをする枠体２と、この枠体２の内側に通風路を横断するように設けられた取付枠３に取付けられたモータ４と、枠体２の内部側壁に設けられたシャッタ機構の主要な部品の一つである略水平に伸びる部分と略鉛直に伸びる部分とからなる鉤型の連動板５と、同じくシャッタ機構の主要な部品の一つであり、この連動板５の端部に連結するように設けられた連動板引下げ手段６とを有している。
【００２９】
図２は、この発明の実施の形態１における換気装置の断面図である。図１は換気装置１の内部の斜視図であるため、一部部品を省略しているので、これら省略している部品とシャッタ機構の他の主要な部品との位置関係について、この図２を用いて説明する。図中、枠体２内のモータ４の回転軸にはファン７が取付けられ、このファン７が設置された枠体２の開口部側にはベルマウス８がファン７を囲むようにして設けられている。そして、これと反対側の開口部には連動板５に枢着された３個の蓋体が設けられている。これらは、連動板５の上下方向に並んで取付けられているが、３個の蓋体のうち最も上方に取付けられた蓋体を第一の蓋体９、最も下方に取付けられた蓋体を第二の蓋体１０、第一の蓋体９と第二の蓋体１０の間に取付けられた蓋体を第三の蓋体１１とする。
【００３０】
換気装置１は概略以上のような構成をしており、以下、換気装置１を設置した場合に、室内側に面する枠体２の開口部を室内側開口部１２とし、室外側に面する枠体２の開口部を室外側開口部１３とする。
【００３１】
図３は、この発明の実施の形態１における換気装置のシャッタ機構により室外側開口部が閉鎖された状態のシャッタ機構部分の断面図である。
【００３２】
図中、枠体２の室外側開口部１３近傍の側壁には上部から下部に渡って３箇所に固定された軸があり、それぞれ上から順に軸部材１４、１５、１６とする。前述した第一の蓋体９は軸部材１４に、第二の蓋体１０は軸部材１６に、第三の蓋体１１は軸部材１５にそれぞれ軸支され、この図のように蓋体９、１０、１１により室外側開口部１３が閉鎖されている場合に、できるだけ隙間が生じないようにするため、これら蓋体９、１０、１１のそれぞれの上下方向の幅は室外側開口部１３の上下方向の幅の約三分の一となっている。また、それぞれの蓋体が回動した場合に枠体２内に占める空間を少なくするために、それぞれの蓋体がそれぞれの軸に軸支される位置は、それぞれ蓋体の上下方向の幅の中心よりも上方向に偏った位置となっている。
【００３３】
これら蓋体９、１０、１１のそれぞれにおいて、前述した軸部材１４、１５、１６によって軸支された位置よりも上方向かつ室内方向の位置に上から順に軸状突起１７、１８、１９が設けられている。
【００３４】
これら軸状突起１７、１８、１９と鉤型の連動板５の上下方向に伸びている部分に上から順に設けられた三つの孔２０、２１、２２とによって蓋体９、１１、１０と連動板５とは連結されている。これらの孔２０、２１、２２のうち枠体２に対して最も上方に設置された第一の蓋体９と最も下方に設置された第二の蓋体１０に設けられた孔２０、２２は略楕円形状の長孔となっており、中間に設置された第三の蓋体１１に設けられた孔２１は円形の孔となっている。このように、それぞれの蓋体が回動した場合に枠体２内に占める空間が大きくなってしまうのにもかかわらず、連結する位置を室内方向にずらしているのは連動板５の動作により蓋体９、１０、１１が動作する場合の動き出しを滑らかにするためである。
【００３５】
そして、鉤型の連動板５の室外側開口部１３から室内側開口部１２に向かって伸びている下部アーム部２３には付勢手段２４の一端が取付けられており、この付勢手段２４の他端は、この下部アーム部２３に取付けられた付勢手段２４の一端よりも室内側かつ上方となる位置で枠体２の側壁に固定されている。この付勢手段２４によって連動板５には常に室内側かつ上向きに弾性力がかかることとなり、軸状突起１８を中心として、連動板５のこれより上側の部分は室外方向に、下側の部分は室内方向に常に付勢されている。なお、蓋体９、１０、１１には付勢手段２４による特に連動板５を上向きに引っ張る力によって、室内方向へ回動するように向かう力がかかり、これにより室外側開口部１３を閉鎖を維持するようになっている。この付勢手段２４は連動板の端部に近い位置に取り付けられており、ベルマウス８によって取り囲まれており、換気装置からの気流に含まれる油等の付着が軽減され、油の付着により付勢手段２４の過重が変わることを防止でき、回動板５の回動抵抗が大きくなることが軽減できる。
【００３６】
なお、付勢手段２４は弾性力が求められるので、ばねやゴムなどを用いることが考えられるが、一般的には、耐久性を考慮するとばねを用いる方が良い。
【００３７】
また、この連動板５の下部アーム部２３の下側には、室外側かつ下方に向かって突出するように突起部２５が設けられ、この図のようにシャッタ機構により室外側開口部が閉鎖された状態の場合には、突起部２５の直下となるように枠体２の側壁には、室外側かつ下方に向かって傾斜するように受け部２６が設けられている。
【００３８】
これら突起部２５と受け部２６の内側には室内側開口部１２から挿入されるベルマウス８の一部がかかっており、ちょうど枠体２の側壁とベルマウス８とによって取り囲まれたような状態となっている。そのため、ファンが回転することにより枠体２内を流れる室内空気の気流から遮られることとなり、この気流に含まれる油等の付着が軽減され、回動板５の回動抵抗が大きくなることが軽減でき、長期間使用しても動作が滑らかである。
【００３９】
また、これら突起部２５と受け部２６と同様に付勢手段２４についてもベルマウス８の一部がかかっているので、枠体２の側壁とベルマウス８とによって取り囲まれたような状態となっている。これにより、排出される室内空気の油等の付着が軽減され、長期間使用しても動作が滑らかであることに加え、合成ゴムなどを用いた場合に室内空気に混じった成分と化学反応を起しにくくなるので、寿命が延びる。
【００４０】
さらに、枠体２の室内側開口部１２の下部には、一回引き紐２７を下方に向かって引くと、上方に突出したレバー２８が下方に移動して、引き紐２７を離してもレバー２８が上方に戻らないようになり、もう一回引き紐２７を下方に向かって引くとレバー２８が上方に戻る機構を備えたレバー昇降手段２９が設けられ、このレバー昇降手段２９のレバー２８と連動板５の下部アーム部２３の室内側開口部１２側の一端とがリング３０で連結されている。これら引き紐２７、レバー２８、レバー昇降手段２９及びリング３０で構成される連動板５を引き下げることができる連動板引下げ手段６において、この一回引き紐２７を引く動作により、室外側開口部１３が開放され、図示しないスイッチがオンされてモータ４に通電され、ファン７が回転し、室内の空気が枠体２内の通風路を通じて室外に排出される。さらに、もう一回引き紐２７を引く動作により、室外側開口部１３が閉鎖され、図示しないスイッチがオフされモータ４が断電され、ファン７の回転が止まる。なお、このリング３０が連動板５とが連結されている部分が連動板５に外力が作用する点なので以下、力点と称する。
【００４１】
なお、室外側開口部１３が閉鎖状態で、蓋体９、１０、１１に対して気流などにより室外側に回動させる方向に力がかかった場合、連動板５には軸部材１４、１５、１６を支点として下方に向かう力がかかることになるので、突起部２５が受け部２６に当接して、室外側開口部１３が開放されるのを防ぐ。
【００４２】
図４は、この発明の実施の形態１における換気装置のシャッタ機構により室外側開口部が閉鎖された状態から開放された状態に移行する過程を説明する断面図である。この図を用いてシャッタ機構の動作について説明する。
【００４３】
図４（ａ）中、実線で表されているのは図示しない蓋体９、１０、１１によって室外側開口部１３が閉鎖されている状態で、かつ、ロック状態の中でも突起部２５が受け部２６に当接していない状態である。この状態では連動板５の孔２１よりも下部に対して付勢手段２４による室内方向に引っ張る力だけがかかっている状態なので、連動板５は図示しない第三の蓋体１１の軸状突起１８を中心として回動するように力がかかっていることになり、図示しない第二の蓋体１０の軸状突起１９は孔２２の室外方向の縁と接し、図示しない第一の蓋体９の軸状突起１７は孔２０の室内方向の縁と接している。
【００４４】
一方、図４（ａ）中、点線で表されているのは図示しない蓋体９、１０、１１によって室外側開口部１３が閉鎖されている状態で、かつ、ロック解除完了状態である。このロック解除完了状態に移行するには、図示しない引き紐２７を下方に向かって一定距離引くことで連動板５を図示しない第三の蓋体１１の軸状突起１８を中心として、孔２２を室外方向に、孔２０の室内方向に回動させる。これにより、突起部２５は受け部２６から室外側に離れるように移動する。この時、突起部２５の移動距離は連動板５に設けられた略楕円形形状の孔２０、２２の長径方向の長さによって決定されるようになっており、連動板５は、図示しない第二の蓋体１０の軸状突起１９は孔２２の室内方向の縁と接し、図示しない第一の蓋体９の軸状突起１７は孔２０の室外方向の縁と接するまで移動することでロック解除完了状態になる。
【００４５】
さらに、図４（ｂ）中、実線で表されているのは図示しない蓋体９、１０、１１によって室外側開口部１３が閉鎖されている状態で、かつ、ロック解除完了状態であり、点線で表されているのは図示しない蓋体９、１０、１１によって室外側開口部１３が開放に向かっているシャッタ回動完了状態である。このシャッタ回動完了状態に移行するには、図示しない引き紐２７を下方に向かってさらに一定距離引くことで連動板５を下方に引き下げ、図示しない蓋体９、１０、１１が軸部材１４、１６、１５を中心として回動してシャッタ回動完了状態となる。この時、連動板５が下方に移動する動き出しの段階で、下方向に向かう力だけでなく室内方向に向かう力も若干働くため、突起部２５はロック解除完了状態の位置よりも室内側に向かって移動する。
【００４６】
図５は、この発明の実施の形態１における換気装置のシャッタ機構により室外側開口部が閉鎖された状態から開放された状態に移行する過程での突起部と受け部との位置関係を説明する断面図である。この図から、ロック状態の突起部２５の位置３１からロック解除完了状態の突起部２５の位置３２への移行過程では、突起部２５が受け部２６から室外側に向かって離れていき、ロック解除完了状態の突起部２５の位置３２からシャッタ回動完了状態の突起部２５の位置３３への移行過程では、動き出しの段階では突起部２５が若干室内方向に移動するため受け部２６に近づくが、下方に移動するに連れて突起部２５が室外方向に移動するため受け部２６から離れる。なお、この一連の過程でのロック解除完了状態での突起部２５と受け部２６との間の距離をＡとしているが、これについては後述する。
【００４７】
図６は、この発明の実施の形態１における換気装置のシャッタ機構により室外側開口部が開放された状態のシャッタ機構部分の断面図である。図中、点線で表されるのは蓋体９、１０、１１によって室外開口部１３が閉鎖されている場合の蓋体９、１０、１１や連動板５等の位置であり、実線で表されるのは蓋体９、１０、１１によって室外開口部１３が開放されている場合の蓋体９、１０、１１や連動板５等の位置である。開放状態とした場合は連動板５の位置が、閉鎖状態に比べ下方に移動するが、軸部材１４、１５、１６によって枠体２に枢支される蓋体９、１１、１０は、これにより回動することとなる。また、この時は前述したように一回引き紐２７を下方に向かって引き、レバー昇降手段２９のレバー２８が下方に移動して、固定されている状態である。
【００４８】
このように、連動板５に設けられた三つの孔２０、２１、２２のうち真中の孔２１に挿入させた軸状突起１８を中心として連動板５を回動するようにしたので、支点となる軸状突起１８から連動板５の上部の孔２０（または下部の孔２２）までの距離と支点である軸状突起１８から引き紐２７を引くことにより過重がかかる連動板５の下部アーム部２３の端部の力点までの距離との差が、三つの軸うちの最上部の軸を支点とした場合の支点と最下部の孔（あるいは最下部を支点とした場合の支点と最上部の孔）との距離とこの場合の支点から力点までの距離との差、よりも小さいので、付勢手段２４の弾性力に抗って連動板５をロック状態からロック解除完了状態まで回動させるのに必要な力が小さくて済む。
【００４９】
また、連動板５に設けられた三つの孔２０、２１、２２のうち真中の孔２１に挿入させた軸状突起１８を中心として連動板５を回動するようにしたので、図５におけるロック解除完了状態での突起部２５と受け部２６との間の距離Ａは、三つのうちの最上部を支点として最下部を作用点とした場合の距離Ａよりも広くすることができ、それだけロック解除完了状態からシャッタ回動完了状態への移行中に突起部２５が受け部２６に接触する可能性が低くすることができる。
【００５０】
さらに、この実施の形態１のように下部アーム部２３に突起部２５と力点とを設ける構成とすると、連動板５が使用によりひずんだりしても、突起部２５と力点との距離が短いため、力点から突起部２５までの変形度合いは小さくて済み、レバー２８を下方に引く場合に、突起部２５のロック状態からロック解除完了状態までの移動距離が変化しにくいので、連動板５の動作が滑らかなままである。また、同様に連動板５が使用によりひずんだりしても、付勢手段２４と突起部２５との距離も短いため、付勢手段２４から突起部２５までの変形度合いは小さくて済み、連動板５を回動させない状態での突起部２５と受け部２６との隙間を一定に保つことが容易となるので、余計に隙間を持たせるような設計をする必要がなくなる。従って、がたつきが抑制でき、動作を滑らかにすることができる。さらに、付勢手段２４と力点までの距離も短いため、長期間の使用において何度も力点に過重がかかることによる連動板５のひずみを抑制することができ、長期にわたり寸法が変化しにくく、滑らかな動作を維持することができる。
【００５１】
なお、蓋体が４枚以上の場合も上下の両端の蓋体を連動板の回動の中心としないようにすれば、この発明と同じような効果が得られる。
【００５２】
図７はこの発明の突起部と受け部の斜視図である。前述したように、これまで突起部と受け部とが当接することで受け部に強い力がかかり、受け部が変形することがあったわけであるが、この理由について考えると、これまでの受け部は図１５に示すように枠体の側面に２本の平行な切り込みを入れ、さらに、この２本の切り込みの上端を結ぶ切り込みを入れ、２本の切り込みの下端から枠体内に向けて直角に曲げ、枠体内に曲げた部分の途中をさらに上方に向けて直角に曲げることで形成していた。一般的に、枠体を構成するのは厚さ０．５ｍｍ程度の薄板鋼鈑であり、連動板を構成するのは厚さ１．０ｍｍ程度の鋼鈑であるので、枠体の一部を用いた受け部よりも連動板の一部である突起部の方が強度的に優れている。従って、突起部と受け部が強い力で当接した場合には、受け部の方が変形しやすくなるものである。
【００５３】
これに対して、この図７の受け部２６は、枠体２の側面に２本の平行な切り込みを入れ、さらに、この２本の切り込みの上端を結ぶ切り込みを入れ、２本の切り込みの下端から枠体内に向けて直角に曲げることで形成している。
【００５４】
このようにすることで、受け部２６の強度的に優れる枠体２に近い部分にしか力がかからなくなるため変形しにくくなる。また、力がかかる部分もこれまでは、突起部２５と受け部２６とが略直角に交わる点であったので一点に集中して力がかかっていたが、受け部２６の突起部２５と当接する部分は平面となったので一点に力が集中しなくなる。
【００５５】
また、受け部が変形した場合について考えると、これまでの受け部は、図１５に示すような形状であったので、突起部と当接する受け部の先端に力がかかることで、外枠から直角に折り曲げて水平となっている部分がねじれ、再度直角に折り曲げなおしている部分が突起部の回動方向に突き出してくるので、ロック解除完了状態からシャッタ回動完了状態に移行する時に、突起部と受け部が接触してしまうものである。
【００５６】
これに対して、この発明の受け部２６のように枠体２の側面から直角に折り曲げて水平となっている部分に力がかかる構造であれば、突起部２５の回動方向にかかる力によって変形したとしても、鉛直方向にねじれるだけであるので、ロック解除完了状態からシャッタ回動完了状態に移行する時に、突起部２５と受け部２６とが接触することがない。
【００５７】
図８は、それぞれ構成の異なるシャッタ機構の連動板をロック状態からシャッタ回動完了状態まで動作させた場合の力点の位置の動きを示した概略図である。ここでは、力点を連動板の室内方向の端部として、この位置の動きを追っている。これによって、本願発明の効果について説明する。
【００５８】
図８（ａ）はこの発明の実施の形態１におけるシャッタ機構の力点の動きであり、図８（ｂ）は特許第３１０３２４８号公報の従来の技術（または、実公昭６１−３９２３４号公報）におけるシャッタ機構の力点の動きであり、図８（ｃ）は特許第３１０３２４８号公報におけるシャッタ機構の力点の動きである。なお、これら図８（ａ）〜（ｃ）では共通して矢印Ａがロック状態からロック解除完了状態までの力点の動きであり、矢印Ｂがロック解除完了状態からシャッタが回動する動きである。
【００５９】
まず、図８（ａ）と、図８（ｂ）とを比較すると、本願発明と特許第３１０３２４８号公報の従来の技術（または、実公昭６１−３９２３４号公報）に開示されたシャッタ機構では矢印Ａの方向が異なる。連動板の端部を下方向に引く力の分力が矢印Ａ方向の力であるため、それぞれの装置で矢印Ａ方向に同じ大きさの力を得ようとする場合、本願発明の方が下方向の力が小さくて済むことがわかる。
【００６０】
次に、図８（ａ）と、図８（ｃ）とを比較すると、本願発明と特許第３１０３２４８号公報に開示されたシャッタ機構では矢印Ａの方向の長さが異なる。図８（ｃ）のシャッタ機構では、矢印Ａの動きは、わずかな距離だけ下方向に移動するだけである。この短い距離移動する力点の動きを、突起部を受け部から離す方向に移動させる力に変換する必要があるため、突起部と受け部の上下方向の隙間を少なくしシャッタのばたつきを小さくするのは難しくなってしまうが、本願発明は力点の移動距離が大きいのでばたつきを小さくするのが比較的簡単である。
【００６１】
これ以外にもこの発明では軸状突起１８と孔２１の上下間のがたつきに比べ、軸状突起１７と孔２０の上下間のがたつき及び軸状突起１９と孔２２の上下間のがたつきを大きくしている。これにより、連動板５の突起部２５を受け部２６から離す際に連動板５を回動させるために要する力をより小さくでき、動作もより滑らかになる。
【００６２】
この発明では、三つの蓋体からなるシャッタ機構について例示して説明しているが、蓋体の数が増えた場合も、最も上方の蓋体と最も下方の蓋体を除いた蓋体のうちのどれかの蓋体の軸状突起が連動板の回動中心となるようにすれば、同様の効果が得られる。特に蓋体の数を増やすのは換気装置が大型化した場合であることが一般的なので、連動板を回動させるために必要な力が大きくなり、この発明のような構成とする効果は大きい。
【００６３】
実施の形態２．
図９は、この発明の実施の形態２における換気装置のシャッタ機構により室外側開口部が図示しない蓋体９、１０、１１によって、閉鎖された状態から開放された状態に移行する過程で連動板５の動作を説明する断面図である。なお、実施の形態１と同等の機能を有する構成には同じ番号を付するとともに説明を省略する。
【００６４】
この実施の形態２の構成と実施の形態１の構成との相違点について説明する。図９中、連動板５は下部アーム部２３の代わりに上部アーム部３４を有している。この上部アーム部３４の下側には突起部２５が設けられ、この突起部２５の下方には枠体２の壁面に固定された受け部２６が設けられている。また、上部アーム部３４の室内側の端部には図示しないリング３０、レバー２８、昇降手段２９及び引き紐２７が連結され下方に引っ張ることができるようになっている。さらに、連動板５の図示しない蓋体９、１０、１１が設けられている上下方向に伸びる部分には付勢手段２４が設けられ、連動板５全体を上向きかつ室内方向に引っ張る力を常にかけている。この状態で、図示しない室外開口部１３を閉鎖している蓋体９、１０、１１を開く方向に力がかかった場合、蓋体９、１０、１１はそれぞれ図示しない枠体２に固定された軸部材１４、１６、１５を支点として回動するため、連動板５が下方に下がり、突起部２５が受け部２６に当接して蓋体９、１０、１１がそれ以上回動して室外開口部１３が開放されるのを防ぐ。
【００６５】
一方、連動板５に設けられている蓋体９、１０、１１と連結するための孔２０、２１、２２における略楕円形状の長孔の配置は実施の形態１と同じである。すなわち、孔２０、２２が長孔となっている。
【００６６】
次に、このような構成の連動板５の動作について説明する。図９（ａ）中、実線で表されているのは図示しない蓋体９、１０、１１によって室外側開口部１３が閉鎖されている状態で、かつ、ロック状態の中でも突起部２５が受け部２６に当接していない状態である。この状態では連動板５の孔２１よりも下部に対して付勢手段２４による室内方向に引っ張る力だけがかかっている状態なので、連動板５は図示しない第三の蓋体１１の軸状突起１８を中心として回動するように力がかかっていることになり、図示しない第二の蓋体１０の軸状突起１９は孔２２の室外方向の縁と接し、図示しない第一の蓋体９の軸状突起１７は孔２０の室内方向の縁と接している。
【００６７】
一方、図９（ａ）中、点線で表されているのは図示しない蓋体９、１０、１１によって室外側開口部１３が閉鎖されている状態で、かつ、ロック解除完了状態である。このロック解除完了状態に移行するには、図示しない引き紐２７を下方に向かって一定距離引くことで連動板５を図示しない第三の蓋体１１の軸状突起１８を中心として、孔２２を室外方向に、孔２０の室内方向に回動させる。これにより、突起部２５は受け部２６から室内側に離れるように移動する。この時、突起部２５の移動距離は連動板５に設けられた略楕円形形状の孔２０、２２の長径方向の長さによって決定されるようになっており、連動板５は、図示しない第二の蓋体１０の軸状突起１９は孔２２の室内方向の縁と接し、図示しない第一の蓋体９の軸状突起１７は孔２０の室外方向の縁と接するまで移動することでロック解除完了状態になる。
【００６８】
さらに、図９（ｂ）中、実線で表されているのは図示しない蓋体９、１０、１１によって室外側開口部１３が閉鎖されている状態で、かつ、ロック解除完了状態であり、点線で表されているのは図示しない蓋体９、１０、１１によって室外側開口部１３が開放に向かっているシャッタ回動完了状態である。このシャッタ回動完了状態に移行するには、図示しない引き紐２７を下方に向かってさらに一定距離引くことで連動板５を下方に引き下げ、図示しない蓋体９、１０、１１が軸部材１４、１５、１６を中心として回動してシャッタ回動完了状態となる。この時、連動板５には下方向に向かう力と室内方向に向かう力が働くため、突起部２５はロック解除完了状態の位置よりも室内側に向かって移動する。
【００６９】
このような構成としても、連動板５の室内側の端部に下方向きの力を加えて回動させる場合の支点は軸状突起１８なので、回動に必要とする力が小さくて済む。また、連動板５を操作するためにリング３０を取付ける位置が上部アーム部３４の室内側の端部であるので、枠体２の底面まで距離が十分長く、この距離と枠体２内の通風路の空間の一部を利用することでレバー２８及び昇降手段２９のすべてを枠体２内に収めることも可能であり、これらの機構をモータにより電動化して大型化しても、全て枠体２内に収納することができる。
【００７０】
実施の形態３．
図１０は、この発明の実施の形態３における換気装置のシャッタ機構により室外側開口部が図示しない蓋体９、１０、１１によって、閉鎖された状態から開放された状態に移行する過程で連動板５の動作を説明する断面図である。なお、実施の形態１と同等の機能を有する構成には同じ番号を付するとともに説明を省略する。
【００７１】
この実施の形態３の構成と実施の形態１の構成との相違点は突起部と受け部が設けられている位置だけであるので、この点について説明する。図１０中、連動板５の突起部２５は、下部アーム部２３の代わりに図示しない蓋体９、１０、１１が設けられている上下方向に伸びる部分であって、連動板５の回動の中心となる軸状突起１８が嵌合する孔２１よりも上方で孔２０との間に、室内側に向かって突出するように設けられている。この突起部２５の下方には枠体２に固定された受け部２６が室外側から室内側に向かってわずかに傾斜するように設けられている。
【００７２】
次に、このような構成の連動板５の動作について説明する。図１０（ａ）中、実線で表されているのは図示しない蓋体９、１０、１１によって室外側開口部１３が閉鎖されている状態で、かつ、ロック状態の中でも突起部２５が受け部２６に当接していない状態である。この状態では連動板５の孔２１よりも下部に対して付勢手段２４による室内方向に引っ張る力だけがかかっている状態なので、連動板５は図示しない第三の蓋体１１の軸状突起１８を中心として回動するように力がかかっていることになり、図示しない第二の蓋体１０の軸状突起１９は孔２２の室外方向の縁と接し、図示しない第一の蓋体９の軸状突起１７は孔２０の室内方向の縁と接している。
【００７３】
一方、図１０（ｂ）中、実線で表されているのは図示しない蓋体９、１０、１１によって室外側開口部１３が閉鎖されている状態で、かつ、ロック解除完了状態である。このロック解除完了状態に移行するには、図示しない引き紐２７を下方に向かって一定距離引くことで連動板５を図示しない第三の蓋体１１の軸状突起１８を中心として、孔２２を室外方向に、孔２０の室内方向に回動させる。これにより、突起部２５は受け部２６から室内側に離れるように移動する。この時、突起部２５の移動距離は連動板５に設けられた略楕円形形状の孔２０、２２の長径方向の長さによって決定されるようになっており、連動板５は、図示しない第二の蓋体１０の軸状突起１９が孔２２の室内方向の縁と接し図示しない第一の蓋体９の軸状突起１７が孔２０の室外方向の縁と接するまで移動することでロック解除完了状態になる。
【００７４】
さらに、図１０（ｂ）中、点線で表されているのは図示しない蓋体９、１０、１１によって室外側開口部１３が開放に向かっているシャッタ回動完了状態である。このシャッタ回動完了状態に移行するには、図示しない引き紐２７を下方に向かってさらに一定距離引くことで連動板５を下方に引き下げ、図示しない蓋体９、１０、１１が軸部材１４、１５、１６を中心として回動してシャッタ回動完了状態となる。この時、連動板５には下方向に向かう力と室内方向に向かう力が働くため、突起部２５はロック解除完了状態の位置よりも室内側に向かって移動する。
【００７５】
このような構成としても、連動板５の室内側の端部に下方向きの力を加えて回動させる場合の支点は軸状突起１８なので、回動に必要とする力が小さくて済む。
【００７６】
【発明の効果】
室内に向けられる室内側開口部と室外に向けられる室外側開口部とを有する枠体と、
枠体内部に設置されるモータと、
モータに連結され枠体内に気流を生じさせるファンと、
枠体に固定された軸部材に枢支され室外側開口部を開閉する上下方向に並ぶ３以上の蓋体と、
３以上の蓋体うち最も上方の第一の蓋体に設けられた軸状突起が挿入される室内外方向に長い略楕円形の孔と、最も下方の第二の蓋体に設けられた軸状突起が挿入される室内外方向に長い略楕円形の孔と、第一の蓋体と第二の蓋体との間の第三の蓋体に設けられた軸状突起が挿入される円形の孔とを有し、円形の孔に挿入される軸状突起を中心として回動する連動板と、
一端が枠体に他端が連動板に取付けられ、連動板に上方に向かう力と、連動板の円形の孔よりも上部を室外側に下部を室内側に回動させる向きの力とを付勢する付勢手段と、
連動板の円形の孔よりも室内側に下向きの力を与えるために設けられている連動板引下げ手段と、
枠体に設けられた受け部と、
連動板に設けられ、蓋体が室外側へ回動することにより連動板とともに下方向に移動することで受け部と当接する突起部とを備え、
連動板引下げ手段を引下げることにより連動板が円形の孔に挿入される軸状突起を中心として回動して突起部が受け部から離れて、連動板が下方向に移動して軸状突起に下方向へ向かう力がかかり、蓋体が軸部材を中心に回動して室外開口部を開放するので、
連動板を回動させる力が小さくて済むため、部品が変形しにくく滑らかな動作が維持できる。
【００７７】
また、室内側開口部にはベルマウスが設けられ、ベルマウスは、受け部と突起部とを気流から遮るように配置されているので、
連動板を回動させる力が小さくて済むため、部品が変形しにくく滑らかな動作が維持できるうえ、受け部と突起部に油等が付着して動作しずらくなることを防ぐことができる。
【００７８】
さらに、室内側開口部にはベルマウスが設けられ、ベルマウスは、付勢手段を気流から遮るように配置されているので、
付勢手段に油等が付着し弾性力を妨げる要因がなくなる。
【００７９】
またさらに、受け部は、枠体の側壁を内側に向けて切起すことで形成され、突起部は連動板の突片を折り曲げることで形成され、当接するのは、受け部の切起された面と、突起部の折り曲げられた板の板厚方向の側面とであるので、
連動板を回動させる力が小さくて済むため、部品が変形しにくく滑らかな動作が維持できるうえ、力が一点に集中することなく変形しにくいので、動作を妨げることがない。
【００８０】
さらにまた、連動板は、室内側から室外側に向かって略水平に伸び、連動板引下げ手段が設けられている部分と、略鉛直方向に伸び、蓋体に設けられた軸状突起が挿入される円形の孔及び略楕円形の孔が設けられている部分とからなる略鉤型の形状であり、略水平の部分には付勢手段と突起部とが設けられているので、連動板を回動させる力が小さくて済むため、部品が変形しにくく滑らかな動作が維持できるうえ、連動板の変形による動作への影響を最小限に抑えることができる。
【００８１】
室内に向けられる室内側開口部と室外に向けられる室外側開口部とを有する枠体と、
枠体内部に設置されるモータと、
モータに連結され枠体内に気流を生じさせるファンと、
枠体に固定された軸部材に枢支され室外側開口部を開閉する上下方向に並ぶ複数の蓋体と、
複数の蓋体のうちの一つの蓋体に設けられた軸状突起が挿入される円形の孔と、他の蓋体の軸状突起が挿入される室内外方向に長い略楕円形の孔とを有し、円形の孔に挿入される軸状突起を中心として回動する連動板と、
一端が枠体に他端が連動板に取付けられる付勢手段と、
連動板の円形の孔よりも室内側に下向きの力を与えるために設けられている連動板引下げ手段と、
枠体に設けられた受け部と、
連動板に設けられ、蓋体が室外側へ回動することにより連動板とともに下方向に移動することで受け部と当接する突起部と、
室内側開口部に設けられ、受け部と突起部とを気流から遮るように配置されるベルマウスとを備え、
連動板引下げ手段を引下げることにより連動板が円形の孔に挿入される軸状突起を中心として回動して突起部が受け部から離れて、連動板が下方向に移動して軸状突起に下方向へ向かう力がかかり、蓋体が軸部材を中心に回動して室外開口部を開放するので、
受け部と突起部に油等が付着して動作しずらくなることを防ぐことができる。
【００８２】
室内に向けられる室内側開口部と室外に向けられる室外側開口部とを有する枠体と、
枠体内部に設置されるモータと、
モータに連結され枠体内に気流を生じさせるファンと、
枠体に固定された軸部材に枢支され室外側開口部を開閉する上下方向に並ぶ複数の蓋体と、
複数の蓋体のうちの一つの蓋体に設けられた軸状突起が挿入される円形の孔と、他の蓋体の軸状突起が挿入される室内外方向に長い略楕円形の孔とを有し、円形の孔に挿入される軸状突起を中心として回動する連動板と、
一端が枠体に他端が連動板に取付けられる付勢手段と、
連動板の円形の孔よりも室内側に、下向きの力を与えるために設けられている連動板引下げ手段と、
枠体に設けられた受け部と、
連動板に設けられ、蓋体が室外側へ回動することにより連動板とともに下方向に移動することで受け部と当接する突起部と、
室内側開口部に設けられ、付勢手段を気流から遮るように配置されるベルマウスとを備え、
連動板引下げ手段を引下げることにより連動板が円形の孔に挿入される軸状突起を中心として回動して突起部が受け部から離れて、連動板が下方向に移動して軸状突起に下方向へ向かう力がかかり、蓋体が軸部材を中心に回動して室外開口部を開放するので、
付勢手段に油等が付着し弾性力を妨げる要因がなくなる。
【００８３】
また、受け部は、枠体の側壁を内側に向けて切起すことで形成され、突起部は連動板の突片を折り曲げることで形成され、当接するのは、受け部の切起された面と、突起部の折り曲げられた板の板厚方向の側面とであるので、
受け部等に油等が付着するのを防ぐことができるうえ、力が一点に集中することなく変形しにくいので、動作を妨げることがない。
【００８４】
さらに、連動板は、室内側から室外側に向かって略水平に伸び、連動板引下げ手段が設けられている部分と、略鉛直方向に伸び、蓋体に設けられた軸状突起が挿入される円形の孔及び略楕円形の孔が設けられている部分とからなる略鉤型の形状であり、略水平の部分には付勢手段と突起部とが設けられているので、
受け部等に油等が付着するのを防ぐことができるうえ、連動板の変形による動作への影響を最小限に抑えることができる。
【００８５】
室内に向けられる室内側開口部と室外に向けられる室外側開口部とを有する枠体と、
枠体内部に設置されるモータと、
モータに連結され枠体内に気流を生じさせるファンと、
枠体に固定された軸部材に枢支され室外側開口部を開閉する上下方向に並ぶ複数の蓋体と、
複数の蓋体のうちの一つの蓋体に設けられた軸状突起が挿入される円形の孔と、他の蓋体の軸状突起が挿入される室内外方向に長い略楕円形の孔とを有し、円形の孔に挿入される軸状突起を中心として回動する連動板と、
一端が枠体に他端が連動板に取付けられる付勢手段と、
連動板の円形の孔よりも室内側に下向きの力を与えるために設けられている連動板引下げ手段と、
枠体の側壁を内側に向けて切起すことで形成される受け部と、
連動板の突片を折り曲げることで形成され、蓋体が室外側へ回動することにより連動板とともに下方向に移動することで受け部の切起された面と折り曲げられた板の板厚方向の側面とが当接する突起部とを備え、
連動板引下げ手段を引下げることにより連動板が円形の孔に挿入される軸状突起を中心として回動して突起部が受け部から離れて、連動板が下方向に移動して軸状突起に下方向へ向かう力がかかり、蓋体が軸部材を中心に回動して室外開口部を開放するので、
力が一点に集中することなく変形しにくいので、動作を妨げることがない。
【００８６】
また、連動板は、室内側から室外側に向かって略水平に伸び、連動板引下げ手段が設けられている部分と、略鉛直方向に伸び、蓋体に設けられた軸状突起が挿入される円形の孔及び略楕円形の孔が設けられている部分とからなる略鉤型の形状であり、略水平の部分には付勢手段と突起部とが設けられているので、
力が一点に集中することなく変形しにくいので、動作を妨げることがないうえ、連動板の変形による動作への影響を最小限に抑えることができる。
【００８７】
室内に向けられる室内側開口部と室外に向けられる室外側開口部とを有する枠体と、
枠体内部に設置されるモータと、
モータに連結され枠体内に気流を生じさせるファンと、
枠体に固定された軸部材に枢支され室外側開口部を開閉する上下方向に並ぶ複数の蓋体と、
複数の蓋体のうちの一つの蓋体に設けられた軸状突起が挿入される円形の孔と他の蓋体の軸状突起が挿入される室内外方向に長い略楕円形の孔とが設けられる略鉛直方向に伸びる部分と、室内側から室外側に向かって略水平に伸びる部分とからなり、円形の孔に挿入される軸状突起を中心として回動する連動板と、
一端が枠体に他端が連動板の略水平部分に取付けられる付勢手段と、
連動板の略水平部分に円形の孔よりも室内側に下向きの力を与えるために設けられている連動板引下げ手段と、
枠体に設けられた受け部と、
連動板の略水平部分に設けられ、蓋体が室外側へ回動することにより連動板とともに下方向に移動することで受け部と当接する突起部とを備え、
連動板引下げ手段を引下げることにより連動板が円形の孔に挿入される軸状突起を中心として回動して突起部が受け部から離れて、連動板が下方向に移動して軸状突起に下方向へ向かう力がかかり、蓋体が軸部材を中心に回動して室外開口部を開放するので、
連動板の変形による動作への影響を小さく抑えることができる。
【図面の簡単な説明】
【図１】この発明の実施の形態１における換気装置の内部の斜視図である。
【図２】この発明の実施の形態１における換気装置の断面図である。
【図３】この発明の実施の形態１における換気装置のシャッタ機構により室外側開口部が閉鎖された状態のシャッタ機構部分の断面図である。
【図４】この発明の実施の形態１における換気装置のシャッタ機構により室外側開口部が閉鎖された状態から開放された状態に移行する過程を説明する断面図である。
【図５】この発明の実施の形態１における換気装置のシャッタ機構により室外側開口部が閉鎖された状態から開放された状態に移行する過程での突起部と受け部との位置関係を説明する断面図である。
【図６】この発明の実施の形態１における換気装置のシャッタ機構により室外側開口部が開放された状態のシャッタ機構部分の断面図である。
【図７】この発明の突起部と受け部の斜視図である。
【図８】構成の異なるシャッタ機構の連動板をロック状態からシャッタ回動完了状態まで動作させた場合の力点の位置の動きを示した概略図である。
【図９】この発明の実施の形態２における換気装置のシャッタ機構により室外側開口部が図示しない蓋体によって、閉鎖された状態から開放された状態に移行する過程で連動板の動作を説明する断面図である。
【図１０】この発明の実施の形態３における換気装置のシャッタ機構により室外側開口部が図示しない蓋体によって、閉鎖された状態から開放された状態に移行する過程で連動板の動作を説明する断面図である。
【図１１】特許第３１０３２４８号公報に開示されるシャッタ開閉装置の断面図である。
【図１２】特許第３１０３２４８号公報に開示されるシャッタ開閉装置の動作の段階ごとのリンクの位置を示す断面図である。
【図１３】特許第３１０３２４８号公報の従来の技術に開示されるシャッタ装置のロック部とストッパについての拡大断面図である。
【図１４】特許第３１０３２４８号公報に開示されるシャッタ開閉装置のロック部とストッパの拡大断面図である。
【図１５】特許第３１０３２４８号公報に開示されたロック部とストッパの斜視図である。
【符号の説明】
１　換気装置、　２　枠体、　３　取付枠、　４　モータ、　５　連動板、　６　連動板引下げ手段、　７　ファン、　８　ベルマウス、　９　蓋体、　１０蓋体、　１１　蓋体、　１２　室内側開口部、　１３　室外側開口部、　１４軸部材、　１５　軸部材、　１６　軸部材、　１７　軸状突起部、　１８　軸状突起部、　１９　軸状突起部、　２０　孔、　２１　孔、　２２　孔、　２３下部アーム部、　２４　付勢手段、　２５　突起部、　２６　受け部、　２７引き紐、　２８　レバー、　２９　レバー昇降手段、　３０　リング、　３１ロック状態の突起部の位置、　３２　ロック解除完了状態の突起部２５の位置、　３３　シャッタ回動完了状態の突起部の位置。
【図１】
2004077020.tif 000003
【図２】
2004077020.tif 000004
【図３】
2004077020.tif 000005
【図４】
2004077020.tif 000006
【図５】
2004077020.tif 000007
【図６】
2004077020.tif 000008
【図７】
2004077020.tif 000009
【図８】
2004077020.tif 000010
【図９】
2004077020.tif 000011
【図１０】
2004077020.tif 000012
【図１１】
2004077020.tif 000013
【図１２】
2004077020.tif 000014
【図１３】
2004077020.tif 000015
【図１４】
2004077020.tif 000016
【図１５】
2004077020.tif 000017